(57)【要約】【課題】  デジタル再生のための画面探索方法及び画面探索装置を提供する。【解決手段】  高速探索中にユーザにより選択された再生時点以前にある一つ以上のピクチャーを一つの画面または複数の画面上に構成して、多重画面を生成するステップと、構成された画面を出力するステップと、出力された画面のピクチャーのうちユーザが選択したピクチャーから再生するステップと、を含むことを特徴とするデジタル再生のための画面探索方法。これにより、高速探索中にユーザが所望の再生時点を正確にさがせるようにして、ユーザに便宜性を提供できる。【選択図】  図６
2006033841.tif 000002
【特許請求の範囲】
【請求項１】
デジタル再生のための画面探索方法において、
高速探索中に、ユーザにより選択された再生時点以前にある一つ以上のピクチャーを一つの画面または複数の画面上に構成して、多重画面を生成するステップと、
前記構成された画面を出力するステップと、
前記出力された画面のピクチャーのうちユーザが選択したピクチャーから再生するステップと、を含むことを特徴とする画面探索方法。
【請求項２】
前記多重画面の生成ステップは、
前記一つ以上のピクチャーの倍率を小さくして、前記一つの画面または複数の画面に配列するステップを含むことを特徴とする請求項１に記載の画面探索方法。
【請求項３】
前記多重画面の生成ステップは、
前記ピクチャー間の時間間隔が広いピクチャーを上位階層に含め、前記上位階層に含まれた各ピクチャーの周辺にあるピクチャーを下位階層に含めて、前記多重画面を階層的に構成するステップを含むことを特徴とする請求項１に記載の画面探索方法。
【請求項４】
前記画面出力ステップは、
前記上位階層に含まれたピクチャーをまず出力し、出力されたピクチャーのうちユーザが選択したピクチャーの下位階層にあるピクチャーを出力するステップを含むことを特徴とする請求項３に記載の画面探索方法。
【請求項５】
前記高速探索は、高速順方向探索または高速逆方向探索を含むことを特徴とする請求項１に記載の画面探索方法。
【請求項６】
前記多重画面の数に関する情報、一つの多重画面内に配列されるピクチャーの数に関する情報、多重画面を階層的に構成するかどうかを表す情報のうち少なくとも一つを含む、前記多重画面の構成に利用される設定情報を設定するステップをさらに含むことを特徴とする請求項１に記載の画面探索方法。
【請求項７】
再生方法において、
ユーザにより選択された再生開始時間を受信するステップと、
前記ユーザにより選択された再生開始時間と関連した複数の参照イメージを生成するステップと、
前記複数の参照イメージを出力するステップと、を含むことを特徴とする再生方法。
【請求項８】
前記複数の参照イメージを生成するステップは、
前記ユーザにより選択された再生開始時間以前の参照イメージを生成するステップを含むことを特徴とする請求項７に記載の再生方法。
【請求項９】
選択された参照イメージに関連した複数の２次階層イメージを生成するステップをさらに含むことを特徴とする請求項７に記載の再生方法。
【請求項１０】
デジタル再生のための画面探索装置において、
高速探索中にユーザにより選択された再生時点以前にある一つ以上のピクチャーを一つの画面または複数の画面上に構成して、多重画面を生成し、ディスプレイ部に出力する多重画面生成部と、
前記ディスプレイ部に出力された画面のピクチャーのうち、ユーザが選択したピクチャーから再生するように制御する再生制御部と、を備えることを特徴とする画面探索装置。
【請求項１１】
前記多重画面生成部は、
倍率の小さな一つ以上のピクチャーを前記一つの画面または複数の画面に配列することを特徴とする請求項１０に記載の画面探索装置。
【請求項１２】
前記多重画面生成部は、
前記ピクチャー間の時間間隔が広いピクチャーを上位階層に含め、前記上位階層に含まれた各ピクチャーの周辺にあるピクチャーを下位階層に含めて、前記多重画面を階層的に構成することを特徴とする請求項１０に記載の画面探索装置。
【請求項１３】
前記多重画面生成部は、
前記上位階層に含まれたピクチャーをまず出力し、出力されたピクチャーのうちユーザが選択したピクチャーの下位階層にあるピクチャーを出力するように制御することを特徴とする請求項１２に記載の画面探索装置。
【請求項１４】
前記高速探索は、高速順方向探索または高速逆方向探索を含むことを特徴とする請求項１０に記載の画面探索装置。
【請求項１５】
前記多重画面の数に関する情報、一つの多重画面内に配列されるピクチャーの数に関する情報、多重画面を階層的に構成するどうかを表す情報のうち少なくとも一つを含む、前記多重画面の構成に利用される設定情報を設定する高速探索関連情報設定部をさらに備えることを特徴とする請求項１０に記載の画面探索装置。
【発明の詳細な説明】
【技術分野】
【０００１】
本発明は、デジタル再生のための画面探索方法及び画面探索装置に関する。
【背景技術】
【０００２】
最近ＨＤＤ（Ｈａｒｄ  Ｄｉｓｋ  Ｄｒｉｖｅ）、ＤＶＤ（Ｄｉｇｉｔａｌ  Ｖｅｒｓａｔｉｌｅ  Ｄｉｓｋ）、ブルーレイディスク（登録商標）（以下、ＢＤ）などのような多様な保存媒体を利用したデジタル再生／録画器が実生活に活発に適用／拡散されつつある。デジタル再生／録画器の機能としては、単純な録画または再生以外にも、高速順方向再生、高速逆方向再生、低速順方向再生、低速逆方向再生のようなトリックプレイなどを提供する付加サービスがある。
【０００３】
図１は、従来技術によるデジタル再生システムの概略的なブロック図である。
図１を参照すれば、デジタル再生システムは、プログラムを保存する保存部１１０、保存部１１０とストリームデコーダ１３０とを連結するメディアインターフェース１２０、保存されたプログラムのストリームをメディアインターフェース１２０から入力されて複数のプログラムに逆多重化するストリームデコーダ１３０、ストリームデコーダ１３０から受信されたオーディオストリームをデコーディングするオーディオデコーダ１４０、ストリームデコーダ１３０から受信されたビデオストリームをデコーディングするビデオデコーダ１５０、画面にビデオ映像をディスプレイするディスプレイ部１６０、そして、このようなデジタル再生システムの各構成装置を制御する制御部１７０を備える。
【０００４】
このようなデジタル再生システムでの再生過程は、次の通りである。保存部１１０に保存されたプログラムのうち、ユーザが選択したプログラムのストリームが、保存部１１０からメディアインターフェース１２０を通じてストリームデコーダ１３０に入力される。このように入力されたプログラムのストリームは、ストリームデコーダ１３０からビデオエレメンタリーストリーム（Ｅｌｅｍｅｎｔａｒｙ Ｓｔｒｅａｍ：ＥＳ）の形態で出力されて、ビデオデコーダ１５０に入力される。ビデオデコーダ１５０では、入力されたビデオＥＳで参照映像のみ復号化してディスプレイ部１６０に伝達し、ディスプレイ部１６０は、参照映像を基準に再生を始める。
【０００５】
このようなデジタル再生システムでの高速再生過程では、正常再生速度より速く再生がなされる。すなわち、ディスプレイ部１６０では、正常再生速度で示す画面をいずれも示すものではなく、高速再生の倍速によって中間の画面を飛ばしつつディスプレイする。このように、高速順方向の再生動作中（高速逆方向の再生動作も同様）に、ユーザが画面を目で見ながら所望の画面を選択するためにボタンを操作すれば、ボタンを操作する時間と再生装置が反応する時間との差により遅延が発生して、ユーザが所望の正確な再生時点の画面を見逃す恐れがある。特に、高倍速であるほど参照映像間の映像の数が少ないので、ユーザが所望する正確な再生時点をさらに検索し難くなる。
なお、従来技術として特許文献１が知られている。
【特許文献１】特開平７−２９８２６７
【発明の開示】
【発明が解決しようとする課題】
【０００６】
本発明は、前記のような問題点を解決して、高速探索中にユーザが正確な再生時点の画面を選択可能にして、ユーザに便利性を付与できる画面探索方法及び画面探索装置を提供することを目的とする。
【課題を解決するための手段】
【０００７】
前記のような課題を解決するための本発明の一特徴は、デジタル再生のための画面探索方法において、高速探索中にユーザにより選択された再生時点以前にある一つ以上のピクチャーを一つの画面または複数の画面上に構成して、多重画面を生成するステップと、前記構成された画面を出力するステップと、前記出力された画面のピクチャーのうち、ユーザが選択したピクチャーから再生するステップと、を含むことである。
前記多重画面の生成ステップは、前記一つ以上のピクチャーの倍率を小さくして、前記一つの画面または複数の画面に配列するステップを含むことが望ましい。
前記多重画面の生成ステップは、前記ピクチャー間の時間間隔が広いピクチャーを上位階層に含め、前記上位階層に含まれた各ピクチャーの周辺にあるピクチャーを下位階層に含めて、前記多重画面を階層的に構成するステップを含むことが望ましい。
前記画面出力ステップは、前記上位階層に含まれたピクチャーをまず出力し、出力されたピクチャーのうち、ユーザが選択したピクチャーの下位階層にあるピクチャーを出力するステップを含むことが望ましい。
前記高速探索は、高速順方向探索または高速逆方向探索を含むことが望ましい。
前記画面探索方法は、前記多重画面の数に関する情報、一つの多重画面内に配列されるピクチャーの数に関する情報、多重画面を階層的に構成するかどうかを表す情報のうち少なくとも一つを含む、前記多重画面の構成に利用される設定情報を設定するステップをさらに含むことが望ましい。
【０００８】
本発明の他の特徴は、画面探索装置において、高速探索中にユーザにより選択された再生時点以前にある一つ以上のピクチャーを一つの画面または複数の画面上に構成して、多重画面を生成し、ディスプレイ部に出力する多重画面生成部と、前記ディスプレイ部に出力された画面のピクチャーのうち、ユーザが選択したピクチャーから再生するように制御する再生制御部と、を備えることである。
前記多重画面生成部は、倍率の小さな一つ以上のピクチャーを前記一つの画面または複数の画面に配列することが望ましい。
前記多重画面生成部は、前記ピクチャー間の時間間隔が広いピクチャーを上位階層に含め、前記上位階層に含まれた各ピクチャーの周辺にあるピクチャーを下位階層に含めて前記多重画面を階層的に構成することが望ましい。
前記多重画面生成部は、前記上位階層に含まれたピクチャーをまず出力し、出力されたピクチャーのうち、ユーザが選択したピクチャーの下位階層にあるピクチャーを出力するように制御することが望ましい。
前記高速探索は、高速順方向探索または高速逆方向探索を含むことが望ましい。
前記多重画面の数に関する情報、一つの多重画面内に配列されるピクチャーの数に関する情報、多重画面を階層的に構成するどうかを表す情報のうち少なくとも一つを含む、前記多重画面の構成に利用される設定情報を設定する高速探索関連情報設定部をさらに備えることが望ましい。
【発明の効果】
【０００９】
本発明によれば、高速探索中にユーザが所望の再生時点を正確にさがせるようにして、ユーザに便宜性を提供できる。
【発明を実施するための最良の形態】
【００１０】
以下、添付された図面を参照して本発明を詳細に説明する。
図２は、本発明によるデジタル再生システムの概略的なブロック図である。
図２を参照すれば、デジタル再生システムは、保存部２１０、メディアインターフェース２２０、ストリームデコーダ２３０、オーディオデコーダ２４０、ビデオデコーダ２５０、ディスプレイ制御部２６０、ディスプレイ部２７０、制御部３００、ユーザインターフェース部２８０、画面保存部２９０を備える。
【００１１】
保存部２１０は、ＤＶＤ、ＢＤなどを含むディスクまたはハードディスクであり、本発明によって再生されるプログラムを保存する。
【００１２】
メディアインターフェース２２０は、保存部２１０に保存されたプログラムのストリームまたは関連情報を記録／再生するために、ストリームデコーダ２３０と保存部２１０とを連結する装置であり、例えば、ＡＴＡ（Ａｄｖａｎｃｅｄ Ｔｅｃｈｎｏｌｏｇｙ Ａｔｔａｃｈｍｅｎｔ）またはＡＴＡＰＩ（Ａｄｖａｎｃｅｄ Ｔｅｃｈｎｏｌｏｇｙ Ａｔｔａｃｈｍｅｎｔ Ｐａｃｋｅｔ Ｉｎｔｅｒｆａｃｅ）である。
【００１３】
制御部３００は、ユーザインターフェース部２８０から入力された再生関連命令を受けてシステムの各構成要素、すなわち、ストリームデコーダ２３０、オーディオデコーダ２４０、ビデオデコーダ２５０、メディアインターフェース２２０などを制御する。特に、本発明による制御部３００は、高速順方向／逆方向の再生で、ユーザが所望する正確な再生時点の画面を見逃さないように、高速探索後に正常再生される前のいろいろなフレーム映像を、一つの画面または一定数の画面上に構成してディスプレイされるように制御することによって、ユーザが正確な再生時点の画面を選択し、選択された画面から再生させることによって、ユーザに便利性を提供する。
【００１４】
ストリームデコーダ２３０は、保存部２１０からメディアインターフェース２２０を通じて受信されたプログラムストリームをデコーディングする。
【００１５】
オーディオデコーダ２４０は、ストリームデコーダ２３０から受信されたオーディオＥＳをデコーディングする。
【００１６】
ビデオデコーダ２５０は、ストリームデコーダ２３０から受信されたビデオＥＳをデコーディングする。正常な再生動作の場合に、ビデオデコーダ２５０からデコーディングされたピクチャーは、ディスプレイ制御部２６０に提供されてディスプレイされる。高速再生などの場合に、ビデオデコーダ２５０からデコーディングされたピクチャーは、ディスプレイ制御部２６０に提供されてピクチャーのサイズを縮小する処理などを施して、画面保存部２９０に保存されるように提供される。
【００１７】
ディスプレイ制御部２６０は、ビデオデコーダ２５０から提供された映像をディスプレイ部２７０に表示するために制御する装置である。高速探索または再生動作の場合には、１画面に１個の映像のみを表示し、高速探索後の再生の開始時点選択のための画面を提供する時は、１画面に複数の映像を表示できる。
【００１８】
ディスプレイ部２７０は、ディスプレイ制御部２６０により提供された画面を表示する。
【００１９】
ユーザインターフェース部２８０は、ユーザの再生関連命令を受信して制御部３００に伝達する。このようなユーザインターフェース手段として、例えば、リモコン、フロントパネル、キーボードなどがある。
【００２０】
画面保存部２９０は、ディスプレイ制御部２６０により処理された画面映像を保存するメモリである。
【００２１】
図３は、図２に示した制御部３００の細部を示す構成図である。図３に示した制御部は、本発明による高速探索後の再生選択による再生関連動作を処理する制御部３００の構成要素のみを図示し、他の構成要素は省略されている。
図３を参照すれば、制御部３００は、ユーザ命令解釈部３１０、高速探索関連情報設定部３２０、高速探索処理部３３０、再生選択処理部３４０、再生処理部３５０、高速探索関連情報レジスタ３６０を備える。
【００２２】
ユーザ命令解釈部３１０は、ユーザインターフェースを通じてユーザから再生に関連した命令を受信して、それを解釈する。そして、解釈結果、その命令を行わねばならない各構成要素に制御信号及び関連データを送る。すなわち、ユーザインターフェースを通じて高速探索後の再生時点を選択するために、ユーザに示す画面の構成と関連した設定情報を保存するためのユーザ命令を受信すれば、これを解釈して高速探索関連情報設定部３２０に知らせる。そして、ユーザインターフェースを通じて高速探索命令を受信した場合には、それを解釈して高速探索処理部３３０に知らせる。そして、ユーザインターフェースを通じて再生選択命令を受信した場合に、それを解釈して再生選択処理部３４０に知らせる。また、ユーザインターフェースを通じて再生命令を受信した場合に、それを解釈して再生処理部３５０に知らせる。
【００２３】
高速探索関連情報設定部３２０は、高速探索後の再生時点を選択するためにユーザに示す画面の構成と関連した設定情報を保存する。ユーザが、ユーザインターフェースを通じて高速探索後の再生時点の選択のための設定情報メニューを選択すれば、高速探索関連情報設定部３２０は、ディスプレイ部２７０に図５に示すようなメニュー画面を出力するように制御する。ユーザが、このメニュー画面を見て入力窓に設定値を入力すれば、ユーザインターフェースは、ユーザが入力した設定値を受信してユーザ命令解釈部３１０に伝達し、ユーザ命令解釈部３１０は、この設定値を高速探索関連情報設定部３２０に伝達する。それにより、高速探索関連情報設定部３２０は、受信された設定値を高速探索関連情報レジスタ３６０に保存する。
【００２４】
高速探索関連情報レジスタ３６０に保存される設定値は、図５を参照すれば、再生選択時の多重画面数、再生選択時の多重画面内のピクチャー数、再生選択時の階層的多重画面を提供するか否か、再生選択時の時間表示を行うか否かなどを含む。
再生選択時の多重画面数とは、高速探索後の再生時点の選択のためにユーザに示す画面の数をいう。例えば、画面の数を１枚と選択する場合、高速探索後の再生時点の選択のためにユーザに示す一定時点間隔内のピクチャーを１枚の画面にいずれも表示し、画面の数を３枚と選択する場合には、高速探索後の再生時点を選択するためにユーザに示す一定時点間隔内のピクチャーを、３枚の画面に分けて表示する。
再生選択時の多重画面内のピクチャー数とは、高速探索後の再生時点の選択のためにユーザに示す一つの画面に表示しようとするピクチャーの数をいう。
再生選択時の階層的多重画面を提供するか否かとは、高速探索後の再生時点の選択のためにユーザに示す画面を階層的に構成するかどうかをいう。すなわち、画面を階層的に構成するということは、例えば、高速探索後の再生時点の選択のためにユーザに示す最初の画面には、広い時間間隔のピクチャーを表示し、ユーザがその最初の画面に表示されたピクチャーのうちいずれか一つを選択すれば、２番目の画面には、そのユーザにより選択されたピクチャーの周辺にあるピクチャーを詳細に表示することをいう。これは、高速再生時に倍速の大きい場合に、画面が速く過ぎてユーザが所望の再生時点を見逃す場合がさらに多いため、再生倍速の大きい場合に有利に適用できる。
再生選択時の時間表示を行うか否かは、高速探索後の再生時点の選択のためにユーザに示す画面上に時間を表示するかどうかを表す。
【００２５】
高速探索処理部３３０は、ユーザから高速探索命令を受信した場合に高速探索処理と関連した動作を行う。ユーザインターフェースを通じて受信する高速探索命令には、再生プログラムを表す識別子、高速倍速値などの情報が含まれうる。
高速探索処理部３３０は、このような高速探索命令を受信すれば、高速再生のために、保存部２１０、メディアインターフェース２２０、ストリームデコーダ２３０、ビデオデコーダ２５０、ディスプレイ制御部２６０、ディスプレイ部２７０、画面保存部２９０を初期化させて駆動する。このような高速探索処理部３３０の駆動制御により保存部２１０に保存されたプログラムは、メディアインターフェース２２０を通じてストリームデコーダ２３０に入力される。ストリームデコーダ２３０は、入力ストリームをデコーディングして、ビデオＥＳをビデオデコーダ２５０に伝送する。ビデオデコーダ２５０は、ビデオＥＳをデコーディングし、デコーディングされたピクチャーをディスプレイ制御部２６０に伝送する。ディスプレイ制御部２６０は、ビデオデコーダ２５０から受信されたピクチャーを、ユーザが選択した高速倍速に合わせて代表映像として抽出してディスプレイ部２７０に出力し、また、ビデオデコーダ２５０から受信された毎にピクチャーを所定の倍率に縮少させて、画面保存部２９０に伝送して保存させる。このように、ビデオデコーダ２５０から受信された画面ピクチャーを所定の倍率に縮少させる作業は、他の構成要素または別途の構成要素により行われることもある。ただし、ここで、画面ピクチャーを縮少させる所定の倍率は、高速探索関連情報レジスタ３６０に保存された値に基づいて決定される。
【００２６】
再生選択処理部（多重画面映像ガイド）３４０は、ユーザから再生選択命令を受信した場合に、再生選択処理と関連した動作を行う。
再生選択処理部３４０が、ユーザインターフェース及びユーザ命令解釈部３１０を通じて高速探索中に再生選択命令を受信すれば、再生選択処理部３４０は、探索後再生の選択に必要な保存部２１０、メディアインターフェース２２０、ストリームデコーダ２３０、ビデオデコーダ２５０、ディスプレイ制御部２６０などを初期化した後、ディスプレイ部２７０、ディスプレイ制御部２６０及び画面保存部２９０を駆動する。
このような再生選択処理部３４０の制御により、ディスプレイ制御部２６０は、画面保存部２９０に保存されたピクチャーのうちユーザが選択した一定数のピクチャーを持ってきて、ディスプレイ部２７０に一つの多重画面またはユーザが定めた数の多重画面として表示する。この時、一つの画面に表すピクチャーの数によってピクチャーのサイズを調節できる。
【００２７】
再生処理部３５０は、ユーザから多重画面に表示されたピクチャーのうち、一つのピクチャーを選択する命令を受信した場合に、再生処理と関連した動作を行う。すなわち、前記のように、ディスプレイ部２７０に表示された複数のピクチャーのうち、ユーザが再生開始時点のピクチャーを選択すれば（再生命令）、このような再生命令は、ユーザインターフェース部２８０及びユーザ命令解釈部３１０を通じて再生処理部３５０に入力される。
再生処理部３５０は、保存部２１０、メディアインターフェース２２０、ストリームデコーダ２３０、ビデオデコーダ２５０、ディスプレイ制御部２６０を初期化させて駆動する。このような再生処理部３５０の制御により、ディスプレイ制御部２６０は、再生時点となったピクチャーからディスプレイ画面にフレーム比率によって１枚ずつディスプレイされるように、ディスプレイ部２７０に提供する。そして、一定時間後に、メディアインターフェース２２０を通じて入力されたストリームをストリームデコーダ２３０に入力する。ストリームデコーダ２３０で入力ストリームをデコーディングして、ビデオＥＳをビデオデコーダ２５０に伝送する。ビデオデコーダ２５０でビデオＥＳをデコーディングして、デコーディングされたピクチャーは、ディスプレイ制御部２６０に伝送されてディスプレイ部２７０で表示される。
【００２８】
図４は、図２に示したディスプレイ制御部２６０の細部を示す構成図である。
図４を参照すれば、ディスプレイ制御部２６０は、ピクチャー処理部２６１と、高速／ノーマル再生制御部２６２と、多重画面生成部２６３とを備える。
【００２９】
ピクチャー処理部２６１は、ビデオデコーダ２５０からデコーディングされたピクチャーを受信して、高速再生の場合に所定の倍率に縮少して画面保存部２９０に保存されるように提供する。正常な再生の場合には、ビデオデコーダ２５０からデコーディングされたピクチャーを受信し、ディスプレイ部２７０のフレーム比率に合わせて調整してディスプレイ部２７０に提供する。
【００３０】
高速／ノーマル再生制御部２６２は、ピクチャー処理部２６１から提供されたピクチャーデータを、ユーザ命令に合わせて高速で再生するか、またはノーマルに表示する。
【００３１】
多重画面生成部２６３は、高速探索中にユーザが再生選択命令を入力した場合に、一つの画面に複数枚のピクチャーを示すために多重画面を構成して再生するように制御する。このような多重画面は、一つ以上の画面で構成される。
多重画面生成部２６３は、画面保存部２９０に保存された小さなサイズのピクチャーを提供されて多重画面を構成し、これをディスプレイ部２７０に提供する。多重画面に入る各ピクチャーのサイズは、一つの画面に表すピクチャーの数によって調整できる。ディスプレイしようとするピクチャーの数が多い場合には、ピクチャーに上位階層インデックス、下位階層インデックス番号を付けてツリー構造化して階層的に構成できる。すなわち、上位階層インデックス番号を持つピクチャー（上位階層にあるピクチャーは、その下位階層にあるピクチャーを代表する映像となる）をまずディスプレイし、そのピクチャーのうちユーザが所定ピクチャーを選択すれば、その選択されたピクチャーの下位階層インデックス番号を持つピクチャーをディスプレイするように、ディスプレイ部２７０に提供する。このようにすることで、多重画面に代表映像とそれ以前の代表映像との間の細部映像を表すことによって、ユーザがさらに正確に選択できる。
【００３２】
図６は、本発明によって高速探索後の再生の選択時、出力画面の一例を説明するための参考図である。
図６を参照すれば、経時的に保存部２１０からメディアインターフェース２２０を通じてストリームデコーダ２３０でデコーディングされ、ビデオデコーダ２５０でデコーディングされるピクチャーの順序が、Ｉ、Ｂ、…Ｂ、Ｐ、Ｂ、…Ｂ、Ｐ、…Ｐ、Ｂ、…Ｂ、Ｉ、Ｂとなっている。
このようなピクチャーの順序を持つ状態で高速探索を行えば、ディスプレイ部２７０に表示される画面は、その高速倍速によって中間の画面（代表画面）のみ表示される。すなわち、図６を参照すれば、高速再生時出力画面はＩ、Ｐ、Ｉとなる。
このような状態で、ユーザがＴ時点で再生選択のために、ボタンを押すなどのユーザインターフェース操作で再生時点を選択すれば、本発明によってディスプレイ部２７０には、ユーザが選択した再生時点から所定時間以前までのピクチャー、すなわち、Ｔ時点から所定時間以前までの間に含まれたピクチャーが出力される。図６を参照すれば、Ｔ時点以前の６個のピクチャー、Ｐ、Ｐ、Ｂ、Ｂ、Ｂ、Ｉがディスプレイ部２７０の一つの画面に表示される。本発明の一例によって、このように再生選択時点以前のピクチャーのうち、連続的に配列されたピクチャーが表示されることもあるが、連続的に配列されたピクチャーではなくてもよい。
ユーザが選択した再生時点から所定時間以前までのピクチャー、すなわち、Ｔ時点から所定時間以前までの間に含まれたピクチャーのうち、一定数のピクチャーのみディスプレイ部２７０の一つの画面に表示される。すなわち、Ｔ時点以前のピクチャーのうち、３個のピクチャーごとに１つずつピクチャーが選択され、選択されたピクチャーが画面に表示されうる。このように飛び飛びにピクチャーを表示することは、高速探索中に画面がすぐ過ぎてユーザが所望の画面を見逃す確率がさらに高い場合に有利である。
【００３３】
図７は、本発明による階層的多重画面の例を説明するための参考図である。
階層的多重画面は、高速探索後にユーザが再生選択をした場合に、ユーザに示す多重画面を階層的に構成するものである。すなわち、最初の画面には、ピクチャー間の時間間隔が遠く離れたピクチャーを表示し、ユーザがそのうちで一つのピクチャーを選択すれば、次の画面に、ユーザが選択したピクチャーの周辺にあるピクチャーをディスプレイ部２７０に表示することである。このようにして、ユーザが探そうとする再生画面をさらに細密にさがすことができ、高速倍速の高い高速探索の場合に効果的である。
【００３４】
図７を参照すれば、高速探索中にユーザが再生選択を入力した時点であるＴ時点と、Ｔ時点から所定時間以前にある時点までの間隔内に入っている４個のピクチャーである第１ピクチャー、第２ピクチャー、第３ピクチャー、第４ピクチャーを多重画面の第１階層として構成し、第１ピクチャー以前にある６個のピクチャー、第２ピクチャー以前にある６個のピクチャー、第３ピクチャー以前にある６個のピクチャー、第４ピクチャー以前にある６個のピクチャーを多重画面の第２階層として構成する。
多重画面の最初の画面には、第１ピクチャー、第２ピクチャー、第３ピクチャー、第４ピクチャーを表示し、ユーザがそのうちでいずれか一つのピクチャーを選択すれば、その選択されたピクチャーの下位にあるピクチャーを次の画面に表示する。例えば、ユーザが第１ピクチャーを選択した場合の例が図８に図示されている。
【００３５】
図８は、図７に示した階層的多重画面の場合にディスプレイ部２７０に表示されるピクチャーを説明するための参考図である。
図８を参照すれば、多重画面の最初の画面に第１ピクチャー、第２ピクチャー、第３ピクチャー、第４ピクチャーが表示され、そのうち、ユーザが第１画面を選択すれば、二番目の画面には第１ピクチャー、第１−１ピクチャー、第１−２ピクチャー、第１−３ピクチャー、第１−４ピクチャー、第１−５ピクチャー、第１−６ピクチャー、第２ピクチャーが表示される。第１ピクチャーの下位階層ピクチャーは、第１−１ピクチャー、第１−２ピクチャー、第１−３ピクチャー、第１−４ピクチャー、第１−５ピクチャー、第１−６ピクチャーであり、第２ピクチャーは、次の選択のために表示されうる。他のピクチャーの選択のために、第１階層にあるピクチャーのリストを作って画面の一部に配列することもできる。
【００３６】
図９Ａ及び図９Ｂは、本発明による高速探索後の再生方法の過程を示すフローチャートである。
高速探索処理部３３０がユーザインターフェースを通じて高速探索命令を受信すれば（ステップ９０１）、高速探索動作と関連した装置を初期化して駆動する（ステップ９０２）。高速探索処理部３３０の制御により、ストリームデコーダ２３０はストリームを受信して分析し（ステップ９０３）、ビデオデコーダ２５０は、ストリームデコーダ２３０により伝送されたＥＳストリームを受信してデコーディングし（ステップ９０４）、ビデオデコーダ２５０によりデコーディングされたピクチャーは、ディスプレイ制御部２６０により小さなサイズに処理される（ステップ９０５）。次いで、このように小さなサイズに処理されたデータは、画面保存部２９０に伝送されて保存される（ステップ９０６）。
【００３７】
そして、ディスプレイ部２７０は、高速倍速に合う代表映像をディスプレイ制御部２６０から受信してディスプレイする（ステップ９０７）。すなわち、ディスプレイ制御部２６０は、ビデオデコーダ２５０から受信されたデコーディングされたピクチャーを、ユーザが選択した高速倍速に合う速度でディスプレイ部２７０に表示させたフレームのピクチャーをディスプレイ部２７０に提供し、また内部的には、小さな倍率のピクチャーを作ってそれを画面保存部２９０に保存されるように提供する。いかなる時点にユーザが再生選択命令を入力してもディスプレイ部２７０に多重画面を提供できるように、画面保存部２９０は、毎時点に一つの多重画面または複数の多重画面に入る小さな倍率のピクチャーをいずれも保存していなければならない。画面保存部２９０に小さな倍率のピクチャーが保存される方式は、ＦＩＦＯ（Ｆｉｒｓｔ Ｉｎ Ｆｉｒｓｔ Ｏｕｔ）を利用することが望ましい。
【００３８】
このような高速探索動作中に再生選択処理部３４０が、ユーザインターフェースを通じて再生選択命令を受信すれば（ステップ９０８）、再生選択処理部３４０は高速探索後の再生選択のための装置を初期化して駆動する（ステップ９０９）。そして、ディスプレイ制御部２６０が、画面保存部２９０に保存された小さな倍率のピクチャーを利用して多重画面を構成し、それをディスプレイ部２７０が出力できるように制御する（ステップ９１０）。
ディスプレイ部２７０に表示された多重画面のうち、ユーザが再生時点となるピクチャーを選択して選択命令を提供すれば、再生処理部３５０は、ユーザインターフェースを通じてこのような選択命令を受信し（ステップ９１１）、再生動作と関連した装置を初期化して駆動する（ステップ９１２）。そして、再生処理部３５０は、フレーム比率によってピクチャーがディスプレイ部２７０に表示されるように制御する（ステップ９１３）。
【００３９】
以上説明したような高速探索制御方法は、またコンピュータで読み取り可能な記録媒体にコンピュータで読み取り可能なコードとして具現することが可能である。コンピュータで読み取り可能な記録媒体は、コンピュータシステムによって読み取られるデータが保存されるあらゆる種類の記録装置を含む。コンピュータで読み取り可能な記録媒体の例には、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、磁気テープ、フロッピー（登録商標）ディスク、光データ保存装置などがあり、また、キャリアウェーブ（例えば、インターネットを通じた伝送）の形態で具現されるものも含む。また、コンピュータで読み取り可能な記録媒体は、ネットワークに連結されたコンピュータシステムに分散されて、分散方式でコンピュータで読み取り可能なコードが保存されて行われうる。そして、前記高速探索制御方法を具現するための機能的なプログラム、コード及びコードセグメントは、本発明が属する技術分野のプログラマーらにより容易に推論できる。
【００４０】
これまで本発明について、その望ましい実施形態を中心に説明した。当業者ならば、本発明が本発明の本質的な特性から逸脱しない範囲で変形された形態に具現できるということを理解できる。したがって、開示された実施形態は、限定的な観点ではなく説明的な観点で考慮されねばならない。本発明の範囲は、前述した説明ではなく特許請求の範囲に現れており、それと同等な範囲内にあるあらゆる差異点は、本発明に含まれていると解釈されねばならない。
【産業上の利用可能性】
【００４１】
本発明は、多様なデジタル再生装置の関連技術分野に利用できる。
【図面の簡単な説明】
【００４２】
【図１】従来技術によるデジタル再生システムの概略的なブロック図である。
【図２】本発明によるデジタル再生システムの概略的なブロック図である。
【図３】図２に示した制御部の細部を示す構成図である。
【図４】図２に示したディスプレイ制御部２６０の細部を示す構成図である。
【図５】本発明による再生選択入力要求のためのユーザインターフェースの一例である。
【図６】本発明による高速探索後の再生の選択時、出力画面の一例を説明するための参考図である。
【図７】本発明による階層的多重画面の例を説明するための参考図である。
【図８】図７に示した階層的多重画面の場合に、ディスプレイ部２７０に表示されるピクチャーを説明するための参考図である。
【図９Ａ】本発明による高速探索後の再生方法の過程を示すフローチャートである。
【図９Ｂ】本発明による高速探索後の再生方法の過程を示すフローチャートである。
【図１】
2006033841.tif 000003
【図２】
2006033841.tif 000004
【図３】
2006033841.tif 000005
【図４】
2006033841.tif 000006
【図５】
2006033841.tif 000007
【図６】
2006033841.tif 000008
【図７】
2006033841.tif 000009
【図８】
2006033841.tif 000010
【図９Ａ】
2006033841.tif 000011
【図９Ｂ】
2006033841.tif 000012